【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
被検知体内の圧力を検知する圧力検知装置であって、
一端側が封止され、他端側が前記被検知体に接続された筒状のベローズ部材と、前記ベローズ部材を収容する筒状のハウジングと、前記ベローズ部材の内部に配置された伸縮補強機構とを備え、
前記ベローズ部材の周面は、前記ハウジングの軸方向に伸縮するベローズであり、
前記ハウジングの周面には、前記ベローズ部材の周面が視認可能な窓部が形成され、
前記伸縮補強機構は、前記ベローズ部材を伸長方向に付勢するバネを有することを特徴とする圧力検知装置。
【請求項２】
請求項１に記載の圧力検知装置であって、
前記バネは、螺旋状のバネであり、
前記伸縮補強機構は、前記バネの内側に配置された伸縮自在なパイプを有していることを特徴とする圧力検知装置。
【請求項３】
請求項２に記載の圧力検知装置であって、
前記パイプは、前記バネの一端と当接する第１鍔部を有する第１パイプ部材と、前記バネの他端と当接する第２鍔部を有し、前記第１パイプ部材に対して軸方向で相対的に移動可能な第２パイプ部材とで構成されていることを特徴とする圧力検知装置。
【請求項４】
請求項１〜請求項３のいずれか１項に記載の圧力検知装置であって、
前記窓部は、前記ハウジングの軸方向に沿って幅が徐々に狭くなっていることを特徴とする圧力検知装置。
【請求項５】
請求項１〜請求項４のいずれか１項に記載の圧力検知装置であって、
前記ベローズ部材の周面の前記窓部で観察可能な領域は、着色部と、前記ハウジングの軸方向で前記着色部に隣接するように設けられた非着色部とを有していることを特徴とする圧力検知装置。
【請求項６】
被検知体内の圧力を検知する圧力検知装置であって、
一端側が封止され、他端側が前記被検知体に接続された筒状のベローズ部材と、前記ベローズ部材を収容する筒状のハウジングとを備え、
前記ベローズ部材の周面は、前記ハウジングの軸方向に伸縮するベローズであり、
前記ハウジングの周面には、前記ベローズ部材の周面が視認可能な窓部が形成され、
前記窓部は、前記ハウジングの軸方向に沿って幅が徐々に狭くなっていることを特徴とする圧力検知装置。
【請求項７】
請求項６に記載の圧力検知装置であって、
前記ベローズ部材の周面の前記窓部で観察可能な領域は、着色部と、前記ハウジングの軸方向で前記着色部に隣接するように設けられた非着色部とを有していることを特徴とする圧力検知装置。
【手続補正２】
【補正対象書類名】明細書
【補正対象項目名】発明の名称
【補正方法】変更
【補正の内容】
【発明の名称】圧力検知装置
【手続補正３】
【補正対象書類名】明細書
【補正対象項目名】０００１
【補正方法】変更
【補正の内容】
【０００１】
この発明は、真空ポンプなどの被検知体内の圧力を検出する圧力検知装置に関する。
【手続補正４】
【補正対象書類名】明細書
【補正対象項目名】００１１
【補正方法】変更
【補正の内容】
【００１１】
この発明は、以上のような観点からなされたもので、真空ポンプなどの被検知体内の圧力をアナログ的に無電源で検出し、かつ容易に検出した圧力の値を視認することができる圧力検知装置の提供を目的とする。
【手続補正５】
【補正対象書類名】明細書
【補正対象項目名】００１２
【補正方法】変更
【補正の内容】
【００１２】
上記の目的を達成するために、本発明の圧力検知装置は、被検知体内の圧力を検知する圧力検知装置であって、一端側が封止され、他端側が被検知体に接続された筒状のベローズ部材と、ベローズ部材を収容する筒状のハウジングと、ベローズ部材の内部に配置された伸縮補強機構とを備え、ベローズ部材の周面は、ハウジングの軸方向に伸縮するベローズであり、ハウジングの周面には、ベローズ部材の周面が視認可能な窓部が形成され、伸縮補強機構は、ベローズ部材を伸長方向に付勢するバネを有することを特徴とする。
また、本発明の圧力検知装置においては、バネは、螺旋状のバネであり、伸縮補強機構は、バネの内側に配置された伸縮自在なパイプを有していることが好ましい。
また、本発明の圧力検知装置においては、パイプは、バネの一端と当接する第１鍔部を有する第１パイプ部材と、バネの他端と当接する第２鍔部を有し、第１パイプ部材に対して軸方向で相対的に移動可能な第２パイプ部材とで構成されていることが好ましい。
また、本発明の圧力検知装置においては、窓部は、ハウジングの軸方向に沿って幅が徐々に狭くなっていることが好ましい。
また、本発明の圧力検知装置においては、ベローズ部材の周面の窓部で観察可能な領域は、着色部と、ハウジングの軸方向で着色部に隣接するように設けられた非着色部とを有していることが好ましい。
【手続補正６】
【補正対象書類名】明細書
【補正対象項目名】００１３
【補正方法】変更
【補正の内容】
【００１３】
また、上記の目的を達成するために、本発明の圧力検知装置は、被検知体内の圧力を検知する圧力検知装置であって、一端側が封止され、他端側が被検知体に接続された筒状のベローズ部材と、ベローズ部材を収容する筒状のハウジングとを備え、ベローズ部材の周面は、ハウジングの軸方向に伸縮するベローズであり、ハウジングの周面には、ベローズ部材の周面が視認可能な窓部が形成され、窓部は、ハウジングの軸方向に沿って幅が徐々に狭くなっていることを特徴とする。
また、本発明の圧力検知装置においては、ベローズ部材の周面の窓部で観察可能な領域は、着色部と、ハウジングの軸方向で着色部に隣接するように設けられた非着色部とを有していることが好ましい。
【手続補正７】
【補正対象書類名】明細書
【補正対象項目名】００１４
【補正方法】変更
【補正の内容】
【００１４】
この発明によれば、ベローズの伸縮量が圧力の変化と直線関係となるのを前提に、これをアナログ的に検出することができ、電源を用いずに無電源で検出することができると共に、表示手段はベローズの伸縮に伴って監視窓より目視され視認されることとなり、目盛などを用いない複雑な機構とせず、部品点数も少なく、圧力の状況が一目でわかる真空インジケーターとした圧力検知装置を提供することができる。
【手続補正８】
【補正対象書類名】明細書
【補正対象項目名】００１５
【補正方法】変更
【補正の内容】
【００１５】
また、樹脂ベローズに伸縮補強機構を備える場合には、より一層ベローズの伸縮動作に応動し協働させることができ、ベローズの伸縮量が圧力の変化と直線関係となるリニア性を向上させることができる圧力検知装置を提供することができる。
【手続補正９】
【補正対象書類名】明細書
【補正対象項目名】００１７
【補正方法】変更
【補正の内容】
【００１７】
以下、この発明の実施例を図面に基づいて説明する。なお、第１の実施例は、本発明の参考例であり、第２の実施例が、本発明の実施例である。図１乃至図６は、この発明の第１の実施例である。検知体１０は、図１２に示したように真空ポンプなどの被検知体Ｘに接続されるもので、図１に示すようにキャップ体１１とハウジング１２とが一体となるように構成されており、ハウジング１２の内部には伸縮自在なベローズ１４を有すると共に、表示手段１６の監視窓１３を介してベローズ１４を目視可能とする。
【手続補正１０】
【補正対象書類名】明細書
【補正対象項目名】００２８
【補正方法】変更
【補正の内容】
【００２８】
また、検知体１０の構造もキャップ体１１など相手方装置に合わせ金属製のネジ切りされたものとし、また、その元部もニップル型に構成することもできる。さらに、検知体１０の内部構造もベローズ＋Ｏリング＋締め込み部品としてのクランプ＋ネジ部品、ベローズ＋差し込み継手などの組み合わせなどとすることが可能で、その他逆テーパーなど種々の手段を選択することができる。
【手続補正１１】
【補正対象書類名】明細書
【補正対象項目名】００３９
【補正方法】変更
【補正の内容】
【００３９】
Ｘ      被検知体
１０    検知体
１１    キャップ体
１１ａ    基部
１１ｂ    ネジ部
１１ｃ    通路
１１ｄ    段部
１１ｅ    第１凹部
１１ｆ    第２凹部
１１ｇ    第３凹部
１１ｈ    雌ねじ受承凹部
１２    ハウジング
１２ａ    有底部
１２ｂ    開口部
１２ｃ    側壁部
１３    監視窓
１４    ベローズ
１４ａ    先筒部
１４ｂ    膨出部
１４ｃ    雄ねじ部
１５    カバー部
１６    表示手段
１６ａ    非着色部
１６ｂ    着色部
１７    Ｏリング
１８    パッキン
１９    目盛
２０    伸縮補強機構
２１    金属製のバネ体
２２    金属製または樹脂製のパイプ